【手続補正書】
【提出日】平成26年3月13日(2014.3.13)
【手続補正１】
【補正対象書類名】明細書
【補正対象項目名】００２５
【補正方法】変更
【補正の内容】
【００２５】
第４基板２１は、上記第２基板１３および第３基板１５と同様、ガラス等の透明絶縁基板により構成されている。ここでは、この第４基板２１が誘電体として、駆動電極１９と検出電極２２とが挟み込まれることにより、駆動電極１９および検出電極２１間に容量素子が形成されるようになっている。この第４基板２１上には、偏光板２３が貼り合わせられている。ここで、画素部１０から発せられた光には、２つの偏光が含まれるが、これらのうちの一方の偏光は液晶レンズ部２０において複屈折効果の影響を受けるが、他方の偏光はその影響を受けずに出射する。このため、液晶レンズ部２０における複屈折効果の影響を受けていない偏光を、偏光板２３において除去するようになっている。
【手続補正２】
【補正対象書類名】明細書
【補正対象項目名】００３５
【補正方法】変更
【補正の内容】
【００３５】
（表示切替・センサ駆動回路７２）
表示切替・センサ駆動回路７２は、制御部７０から供給される制御信号に基づいて、液晶レンズ部２０およびタッチセンサ部３０へ所定の駆動信号を印加するものである。本実施の形態では、上述のように、液晶レンズ部２０とセンサ部３０とにおいて駆動電極１９が共用されるが、液晶レンズ部２０用の駆動信号（後述の駆動信号Ｖｄ）と、タッチセンサ部３０用の駆動信号（後述の駆動信号Ｖｓ）とがそれぞれ別個に設定されるようになっている。即ち、表示切替・センサ駆動回路７２は、駆動電極１９に対し、互いに異なる交流矩形波形の信号を、互いに異なるタイミングで印加するようになっている。
【手続補正３】
【補正対象書類名】明細書
【補正対象項目名】００３８
【補正方法】変更
【補正の内容】
【００３８】
他方、検出電極２２は、上記複数の駆動電極１９(1)〜１９(n)と交差（ここでは直交）する方向に沿って延在する複数（ｐ個）のストライプ状の検出電極２２(1)〜２２(p)からなる。これらの検出電極２２についても、ｑ本（ｑ：２以上ｐ以下の整数）の検出電極２２が電気的に接続されていてもよいし、ｐ本全ての検出電極２２がそれぞれ電気的に分離して設けられていてもよい。前者の場合には、ｑ本の検出電極２２を、各端部において連結させた形状（櫛歯形状）とし、この連結されたｑ本の検出電極２２を単位検出ラインとして検出信号を取得できる。後者の場合には、検出電極２２毎に検出信号が取得される。
【手続補正４】
【補正対象書類名】明細書
【補正対象項目名】００６２
【補正方法】変更
【補正の内容】
【００６２】
本実施の形態では、上述のように、ｎ本の駆動電極１９(1)〜１９Ｂ(n)と、ｐ本の検出電極２２(1)〜２２(p)との各交差部において、容量素子Ｃ１を形成する。ここで、例えば図７（Ａ），（Ｂ）に示したように、駆動電極１９(1)〜１９Ｂ(n)に対し、駆動信号Ｖsを線順次に印加していくと、次のようになる。即ち、あるタイミングにおいて駆動信号Ｖsが印加されている１の駆動電極１９と、検出電極２２(1)〜１２(p)との各交差部に形成される複数（ここではｐ個）の容量素子Ｃｎ１〜Ｃｎｐの各々に対し、充放電が行われる。その結果、容量素子Ｃ１の容量値に応じた大きさの検出信号Ｖdetが、検出電極２２(1)〜１２(p)のそれぞれから出力される。そして、駆動信号Ｖsのスキャンに伴い、充放電の対象となる容量素子Ｃ１の列が順次移動していく。
【手続補正５】
【補正対象書類名】明細書
【補正対象項目名】００６４
【補正方法】変更
【補正の内容】
【００６４】
一方、ユーザの指が偏光板２３の表面に接触（または近接）すると、その接触箇所に元々形成されている容量素子Ｃ１に、指による容量素子Ｃ２が付加される。その結果、その接触箇所がスキャンされた時点（即ち、駆動電極１９(1)〜１９(n)のうち、タッチ箇所に対応する駆動電極１９に駆動信号Ｖsが印加された時点）の検出信号Ｖdetの値が、他の箇所よりも小さくなる。このようにして検出電極２２を介して得られた検出信号Ｖdetは、検出回路７３へ出力される。
【手続補正６】
【補正対象書類名】明細書
【補正対象項目名】００６５
【補正方法】変更
【補正の内容】
【００６５】
検出回路７３は、上記のようにして得られた検出信号Ｖdetを所定のしきい値電圧Ｖthと比較し、このしきい値電圧以上であれば非接触状態（非近接状態）と判断する一方、しきい値電圧未満であれば接触状態（近接状態）と判断する。このようにして、物体検出動作が行われる。尚、物体の接触箇所（位置座標）は、駆動信号Ｖsの印加タイミングと、しきい値電圧Ｖth未満の検出信号Ｖdetの検出タイミングとから割り出すことができる。
【手続補正７】
【補正対象書類名】明細書
【補正対象項目名】００６７
【補正方法】変更
【補正の内容】
【００６７】
また、タッチセンサ部３０と液晶レンズ部２０とにおいて、駆動電極１９を共用する（センサ用の駆動電極が表示切り替え用の駆動電極を兼ねている）ことにより、センサ用の駆動電極が表示切り替え用の駆動電極を別々に設けた場合よりも薄型化に有利となる。
【手続補正８】
【補正対象書類名】明細書
【補正対象項目名】００７１
【補正方法】変更
【補正の内容】
【００７１】
尚、この場合、画素部１０を封止する第２基板１３上に、対向電極１６および配向膜１７ａを形成した後、この配向膜１７ａ上に液晶層１８を滴下し、その液晶層１８を、上記第１の実施の形態で説明したように、駆動電極１９を有する第４基板２１で封止すればよい。
【手続補正９】
【補正対象書類名】明細書
【補正対象項目名】００８０
【補正方法】変更
【補正の内容】
【００８０】
本実施の形態においても、上記第１の実施の形態と同様、画素部１０上に液晶レンズ部２０Ａおよびタッチセンサ部３０を備えることにより、画素部１０から発せられた光に基づく画像を３次元映像または２次元映像として表示することができる。また、そのような映像表示を行いながら、物体の接触または近接の有無を検出することができる。よって、上記第１の実施の形態と同等の効果を得ることができる。また、液晶レンズ部２０Ａとタッチセンサ部３０とにおいて駆動電極１９を共用するだけでなく、画素部１０と液晶レンズ部２０Ａとにおいて共通電極１３ａを共用することにより、基板数、電極層および配線の数を減らすことができ、より薄型で簡易な構成を実現し易くなる。
【手続補正１０】
【補正対象書類名】明細書
【補正対象項目名】００８１
【補正方法】変更
【補正の内容】
【００８１】
尚、上記第２の実施の形態では、駆動電極１９と共通電極１３ａとが、それぞれ共用される場合について説明したが、液晶レンズ部２０Ａおよびタッチセンサ部３０において駆動電極が別々に設けられ、共通電極１３ａのみが画素部１０と液晶レンズ部２０Ａにおいて共用された構造であってもよい。
【手続補正１１】
【補正対象書類名】明細書
【補正対象項目名】００８６
【補正方法】変更
【補正の内容】
【００８６】
このような液体レンズ部２０Ｂを有する本実施の形態においても、上記第１の実施の形態と同様、駆動電極１９へ所定の駆動信号を供給することにより、駆動電極１９と対向電極１６との間に所定の電圧が印加され、液体レンズ部２０Ｂでは、画素部１０から発せられた光に基づく画像を、２次元映像または３次元映像として切り替え可能に表示することができる。
【手続補正１２】
【補正対象書類名】明細書
【補正対象項目名】００８７
【補正方法】変更
【補正の内容】
【００８７】
図１６（Ａ），（Ｂ）に、３Ｄ表示時と２Ｄ表示時とにおける液体レンズ部２０Ｂにおける表示動作（屈折率変化の様子）について模式的に示す。図１６（Ａ）に示したように、３次元表示用の駆動信号Ｖｄ３に応じた電圧が駆動電極１９および対向電極１６間に印加されると、液体レンズ部２０Ｂでは、極性液体層２５Ａおよび無極性液体層２５Ｂの界面（界面Ｓ１）が凸形状となる。このため、画素部１０側から入射した光は、界面Ｓ１において屈折され、液体レンズ部２０Ｂを出射する。これにより、上記第１の実施の形態の液晶レンズ部２０の場合と同様、画素部１０から発せられた光に基づく画像（左右の視差画像の合成画像）が、左右の眼に分離して映し出され、３次元映像として表示（視認）される。
【手続補正１３】
【補正対象書類名】明細書
【補正対象項目名】００９１
【補正方法】変更
【補正の内容】
【００９１】
＜変形例３＞
図１７は、変形例３に係る表示装置（表示装置３Ａ）の断面構造を表すものである。表示装置３Ａは、上記第３の実施の形態の表示装置３と同様、タッチセンサ機能が搭載された有機ＥＬディスプレイであり、画素部１０上に、表示切り替え機能部としての液体レンズ部２０Ｂ１と、タッチセンサ部３０とをこの順に有するものである。また、これらの画素部１０、液体レンズ部２０Ｂ１およびタッチセンサ部３０はいずれも一対の電極を通じて駆動されるようになっている。更に、液体レンズ部２０Ｂ１とタッチセンサ部３０とにおいて駆動電極１９Ａが共用されている。液体レンズ部２０Ｂ１では、上記第３の実施の形態と同様、一対の電極間に極性液体層２５Ａおよび無極性液体層２５Ｂを保持し、電圧供給によって屈折率を変化させるようになっている。
【手続補正１４】
【補正対象書類名】明細書
【補正対象項目名】００９２
【補正方法】変更
【補正の内容】
【００９２】
但し、本変形例では、上記第３の実施の形態と異なり、第４基板２１の一面側にストライプ状のパターンで設けられる駆動電極１９Ａが、隔壁２６ａの表面を覆って形成されており、全体としてストライプ状のパターンを形成するようになっている。無極性液体層２５Ｂは、第４基板２１上において、そのような駆動電極１９Ａおよび隔壁２６ａによって区画される各領域に保持されている。
【手続補正１５】
【補正対象書類名】明細書
【補正対象項目名】００９６
【補正方法】変更
【補正の内容】
【００９６】
表示装置３Ｂは、上記第３の実施の形態および変形例３と同様、表示切り替え機能部として、駆動電極１９および対向電極１６間に極性液体層２５Ａおよび無極性液体層２５Ｂを有する液体レンズ部２０Ｂ２を用いるものである。但し、表示装置３Ｂでは、上記第３の実施の形態と異なり、駆動電極１９が無極性液体層２６ｂの保持領域を区画すると共に、その駆動電極１９の表面が絶縁膜２６ｂによって覆われている。換言すると、無極性液体層２５Ｂは、駆動電極１９によって区画された各領域に、絶縁膜２６ｂを介して設けられている。
【手続補正１６】
【補正対象書類名】明細書
【補正対象項目名】０１０３
【補正方法】変更
【補正の内容】
【０１０３】
但し、液晶バリア部２０Ｃでは、ストライプ状のパターンに分割された駆動電極１９において、電極間領域に対応する領域（透過領域Ｄ１）において常時光を透過させる一方、電極部分に対向する各領域（開閉領域Ｄ２）において、透過率（透過状態または遮断状態）を切り替え可能となっている。また、第３基板１５と接着層１４との間には、液晶層２８へ選択的な偏光を入射させるための偏光板２９が設けられている。
【手続補正１７】
【補正対象書類名】図面
【補正対象項目名】図８
【補正方法】変更
【補正の内容】
【図８】
2012198416.tif 000001
【手続補正１８】
【補正対象書類名】図面
【補正対象項目名】図１１
【補正方法】変更
【補正の内容】
【図１１】
2012198416.tif 000002
【手続補正１９】
【補正対象書類名】図面
【補正対象項目名】図１５
【補正方法】変更
【補正の内容】
【図１５】
2012198416.tif 000003
【手続補正２０】
【補正対象書類名】図面
【補正対象項目名】図１６
【補正方法】変更
【補正の内容】
【図１６】
2012198416.tif 000004